(57)【要約】      （修正有）【課題】デスク回りなどにも設置可能な送風機能を有する照明装置を提供する。【解決手段】送風羽根を有する送風器１と、送風器の外周にリング状に形成される光源部２と、送風器を支持する送風器支持部３と、被設置部に載置又は取り付けられる設置部６と、送風器支持部と設置部を連結する連結部７と、送風器に対して光源部を上向き下向きに相対回転可能に支持する回転支持部と、を備える。【選択図】図８
0003220981.tif 000002
【実用新案登録請求の範囲】
【請求項１】
送風羽根を有する送風器と、
この送風器の外周にリング状に形成される光源部と、
前記送風器を支持する送風器支持部と、
被設置部に載置又は取り付けられる設置部と、
前記送風器支持部と前記設置部を連結する連結部と、
前記送風器に対して前記光源部を相対回転可能に支持する回転支持部と、を備えたことを特徴とする照明装置。
【請求項２】
前記光源部は、
外周壁部と内周壁部を有し、前方にリング状の収容溝が形成されるリング状筐体と、
前記収容溝に収容され、発光素子が搭載される光源基板と、
前記収容溝を閉鎖し透光性を有するリング状カバーと、を備えたことを特徴とする請求項１に記載の照明装置。
【請求項３】
前記送風器は、前記送風羽根を収容する筒状筐体を備え、
この筒状筐体の外周壁部と、前記リング状筐体の内周壁部とを前記回転支持部により連結することを特徴とする請求項２に記載の照明装置。
【請求項４】
前記連結部は、前記送風器支持部と前記設置部の相対角度を変更する機能を有することを特徴とする請求項１〜３のいずれか１項に記載の照明装置。
【請求項５】
前記リング状筐体において、前記内周壁部よりも前記外周壁部の方が突出高さが高くなっていることを特徴とする請求項２に記載の照明装置。
【請求項６】
前記リング状筐体の外周壁部に操作部が設けられていることを特徴とする請求項２に記載の照明装置。
【請求項７】
前記筒状筐体は、後方側に位置する第１筐体部分と前方側に位置して保護ガードが設けられた第２筐体部分を有し、この第２筐体部分は前記第１筐体部分の最前面に着脱可能に嵌合されることを特徴とする請求項３に記載の照明装置。
【考案の詳細な説明】
【技術分野】
【０００１】
本考案は、送風器を有する照明装置に関する。
【背景技術】
【０００２】
かかる照明装置として、下記特許文献１，２に開示される空調機能を有する照明装置が公知である。特許文献１の照明装置は、天井面に取り付けられるベース部と、ベース部に固定されるモータにより回転される羽根車を有する電動ファンと、電動ファンの周囲に配置されベース部に取り付けられる照明部とを備える。
【０００３】
特許文献２の照明装置は、両端の一方に開口部を有する筐体と、筐体の外側面の外側に設けられている光源と、筐体の内部の空気を開口部を通して送り出す送風器と、取り付けるための口金を有する。この照明装置は、洗面所、脱衣場、トイレなどに設置される。
【先行技術文献】
【特許文献】
【０００４】
【特許文献１】特開２０１７−１２９１５０号公報
【特許文献２】特開２０１７−９１９７３号公報
【考案の概要】
【考案が解決しようとする課題】
【０００５】
上記特許文献１，２に開示される照明装置は、いずれも部屋の天井に設置されるものである。一方、デスクで作業する場合には、電気スタンドや小型扇風機などを必要に応じて適宜使用することがあるが、電気スタンド（照明装置）と扇風機を別々に準備しなくてはならず不便であった。
【０００６】
本考案は上記実情に鑑みてなされたものであり、その課題は、デスク回りなどにも設置することが可能な送風機能を有する照明装置を提供することである。
【課題を解決するための手段】
【０００７】
上記課題を解決するため本考案に係る照明装置は、
送風羽根を有する送風器と、
この送風器の外周にリング状に形成される光源部と、
前記送風器を支持する送風器支持部と、
被設置部に載置又は取り付けられる設置部と、
前記送風器支持部と前記設置部を連結する連結部と、
前記送風器に対して前記光源部を相対回転可能に支持する回転支持部と、を備えたことを特徴とするものである。
【０００８】
かかる構成による照明装置の作用・効果を説明する。送風器の外周に光源部を備えており、照明装置として使用できるだけではなく、送風器としての使用も可能である。もちろん、両方の機能を同時に使用することができる。送風器を支持する送風器支持部と設置部は連結部により連結される。設置部により、例えば、デスクの上に照明装置をそのまま置いたり、設置部にクリップなどを設けて適宜の場所に固定させることができる。これにより、デスク周りに照明装置を置くことができるようになる。また、送風器に対して光源部を相対回転可能にしているので、送風器や光源の向きを別々に調整することができて便利になる。以上のように、デスク回りなどにも設置することが可能な送風機能を有する照明装置を提供することができる。
【０００９】
本考案に係る前記光源部は、
外周壁部と内周壁部を有し、前方にリング状の収容溝が形成されるリング状筐体と、
前記収容溝に収容され、発光素子が搭載される光源基板と、
前記収容溝を閉鎖し透光性を有するリング状カバーと、を備えたことが好ましい。
【００１０】
かかる構成によると、まず、光源部の筐体はリング状に形成されており、この筐体に形成されたリング状の収容溝に光源が搭載される。従って、送風器は、筐体の中央に配置される。収容溝は、透光性を有するリング状カバーにより閉鎖し、リング状カバーを通じて光が照射される。
【００１１】
本考案に係る前記送風器は、送風羽根を収容する筒状筐体を備え、
この筒状筐体の外周壁部と、前記リング状筐体の内周壁部とを前記回転支持部により連結することが好ましい。
【００１２】
かかる構成により、送風器に対して、光源の相対位置関係を変更することができ、ユーザーに対して適切な方向に光源と送風の双方を設定することができる。
【００１３】
本考案に係る前記連結部は、前記送風器支持部と前記取付部の相対角度を変更する機能を有することが好ましい。これにより、送風器の送風方向をさらに適切な方向に設定することができる。
【００１４】
本考案に係る前記リング状筐体において、前記内周壁部よりも前記外周壁部の方が突出高さが高くなっていることが好ましい。
【００１５】
これにより、外周壁部の先端よりも照明部分や送風器の位置が低い位置になるので、不用意にこれらに手で触れたり、何か障害物に当たったりするという不具合を抑制することができる。
【００１６】
本考案において、前記リング状筐体の外周壁部に操作部が設けられていることが好ましい。これにより、手で触れやすいところに操作部があるので、操作性が向上する。
【００１７】
本考案に係る前記筒状筐体は、後方側に位置する第１筐体部分と前方側に位置して保護ガードが設けられた第２筐体部分を有し、この第２筐体部分は前記第１筐体部分の最前面に着脱可能に嵌合されることが好ましい。
【００１８】
かかる構成によれば、筒状筐体を設けることで、光源が設けられたリング状筐体の位置を変更したとしても、送風器が露出せずに安全性を確保することができる。
【図面の簡単な説明】
【００１９】
【図１】第１実施形態に係る照明装置の外観を示す斜視図
【図２】第１実施形態に係る照明装置の側面図
【図３】図１のＡ−Ａ矢視図
【図４】図３のＢ−Ｂ断面図
【図５】図３のＣ−Ｃ断面図
【図６】第１実施形態に係る照明装置の平面図
【図７】第１実施形態に係る照明装置の使用例を示す図
【図８】第１実施形態に係る照明装置の使用例を示す図
【図９】第１実施形態に係る照明装置の使用例を示す図
【図１０】第２実施形態に係る照明装置の外観を示す斜視図
【図１１】第２実施形態に係る照明装置の正面図
【図１２】第２実施形態に係る照明装置の側面図
【図１３】第２実施形態に係る照明装置の背面図
【図１４】第２実施形態に係る照明装置の使用例を示す図
【考案を実施するための形態】
【００２０】
本考案に係る照明装置の好適な実施形態を図面を用いて説明する。図１は、第１実施形態に係る照明装置の外観を示す斜視図である。図２は、同じく側面図である。図３は、図１のＡ−Ａ矢視図である。図４は、図３のＢ−Ｂ断面図である。図５は、図３のＣ−Ｃ断面図である。
【００２１】
＜第１実施形態に係る照明装置＞
図３に示すように、中央に送風器１を有し、それを取り囲むように光源部２を備えている。送風器１は、駆動モータ１１により回転駆動される送風羽根１０を有する（図４参照）。駆動モータ１１の駆動軸１１ａに送風羽根１０が着脱自在に結合されている。送風羽根１０は、７枚の羽根により構成されるが、羽根の形状や枚数については特定のものに限定されない。
【００２２】
送風羽根１０は、筒状筐体の内部に収容されており、後方側に位置する第１筐体部分１２と前方側に位置する第２筐体部分１３を備えている。第２筐体部分１３は、送風羽根１０の前方に位置する保護ガード１４が一体形成されている。保護ガード１４は、中心から放射状に延びるスポークを多数備えている。
【００２３】
第２筐体部分１３は、第１筐体部分１２に対して着脱自在に係合されている。係合機構は周知の構成を採用することができる。第１筐体部分１２の背面側にも多数のスポーク１５が形成されている。
【００２４】
光源部２は、リング状筐体２０を有し、外周壁部２０ａと内周壁部２０ｂを備えており、その内部にリング状の収容溝２０ｃが形成される。収容溝２０ｃは前方側に開口している。外周壁部２０ａと内周壁部２０ｂの具体的な形状は、特定の形状に限定されるものではない。本実施形態では、外周壁部２０ａは曲面で構成されているが平面により構成してもよい。
【００２５】
収容溝２０ｃには、光源基板２１が配置されている。光源基板２１の表面には多数のＬＥＤ２２が搭載されている。光源基板２１は正面から見た場合、全体としてリング状に形成されている。ただし、光源基板２１は、複数（例えば４個）の円弧状の基板が収容溝２０ｃに配置されている。円弧状の基板の個数は適宜決めることができる。また、光源基板２１は１つの基板で構成してもよい。
【００２６】
収容溝２０ｃを閉鎖するためにリング状カバー２３が設けられている。リング状カバー２３は透光性及び光拡散性を有し、ＬＥＤ２２の光を前方に拡散して照射する。リング状カバー２３は、適宜の方法によりリング状筐体２０に係合される。係合は、例えば、係合爪と係合溝の組み合わせにより行うことができる。これにより、リング状カバー２３を着脱自在に係合させることができる。
【００２７】
図４から理解されるように、外周壁部２０ａの方が内周壁部２０よりも前方側に突出している。外周壁部２０ａの先端よりも照明部２や送風器１の位置が低い位置になるので、不用意にこれらに手で触れたり、何か障害物に当たったりするという不具合を抑制することができる。
【００２８】
図１に示すように、リング状筐体２０の外周壁部２０ａ（背面側）には操作部４が設けられている。操作部４は、３つのボタンにより構成され、電源オン／オフ、送風強さの調整、光源の明るさ調整などを設定することができる。リング状筐体２０に操作部４を配置しているので、操作性を良くすることができる。ボタンは押しボタン式でもよいし、タッチスイッチ式でもよい。
【００２９】
光源部２は、送風器１に対して相対的回転可能に回転支持部５により支持されている。図３に示すように、回転支持部５は、送風器１の左右両側に設けられており、水平方向に回転軸が設定されている。この回転軸は、送風羽根１の回転中心を通るように設定されている。
【００３０】
筒状筐体の第１筐体部分１２の外周壁部１２ａとリング状筐体２０の内周壁部２０ｂが所定の隙間を開けて向かい合っており、この隙間部分を介して回転支持部５が設けられている。回転支持部５は、第１筐体部分１２に一体形成された軸５０と、リング状筐体２０に形成された嵌合孔５１により構成されている。なお、軸と嵌合孔の関係は逆にしてもよい。軸５０は一体形成するのではなく、別部品を結合してもよい。これにより、光源部２を送風器１に対して回転軸周りに回転させることができる。図５に示すように、２つの軸５０のうち一方の軸５０には貫通孔５２が形成されている。この貫通孔５２を介して光源基板２１への配線を通すことができる。
【００３１】
送風器１の後部には送風器１を支持するための送風器支持部３が設けられている。送風器支持部３は、第１筐体部分１２と一体形成することができるが、別部品により構成してもよい。送風器支持部３の内部空間には、送風器１や光源部２を駆動するための電源回路や制御回路（不図示）などが配置される。また、給電のための電源コードや給電端子も適宜設けられる。
【００３２】
送風器支持部３の下部には設置部６と、設置部６と送風器支持部３を連結するための連結部７が設けられている。設置部６は、支持脚６０と支持脚６０の下端に取り付けされるベース６１を備えている。ベース６１は平板状であり、デスクやテーブル等の平面（被設置部に相当）に載置することができる。
【００３３】
連結部７には、操作ダイヤル７０が設けられており、これを回転操作することで支持脚６と送風器支持部３の相対角度を変更することができる。回転中心は、操作ダイヤル７０の中心と一致する。
【００３４】
＜使用例＞
次に、第１実施形態に係る照明装置の使用例を説明する。図７は、連結部７を捜査して、送風器１と光源部２を下向きにした状態である。図８は、送風器１を斜め下向きにし、光源部２を前方向きにした状態を示す。図９は、送風器１を前方向きにし、光源部２を斜め下向きにした状態を示す。以上のように、送風器１と光源部２の相対角度、連結部７による回転操作を組み合わせることで、自分の好みに合った位置調整を行うことができる。
【００３５】
＜第２実施形態＞
次に、第２実施形態に係る照明装置について説明する。図１０は、第２実施形態に係る照明装置の外観斜視図である。図１１は正面図、図１２は側面図、図１３は背面図である。
【００３６】
送風器１および光源部２の構成は第１実施形態と同じであるので説明を省略する。また、送風器支持部３や回転支持部５や連結部７の構成も第１実施形態と同じであるので説明を省略する。異なるのは設置部６でもあるの、それを中心に説明する。
【００３７】
設置部６は、支持脚６２と、支持脚６２の端部に設けられるクリップ機構６３を備えている。クリップ機構６３は、第１クリップ板６４と第２クリップ板６５を備えており、ねじりバネ６６によりクリップが閉じる方向に付勢されている。ねじりバネ６６は、軸６７に挿入されており、この軸６７周りに第１・第２クリップ板６４，６５が回転可能である。第１クリップ板６４の内側にはゴム板６４ａが取り付けられており、第２クリップ板６５にも同様にゴム板６５ａが取り付けられている。
【００３８】
以上の構成によれば、クリップ機構６３を利用して、適宜の場所、例えば、棒状の物（被設置部に相当）に挟んで照明装置を固定することができる。ゴム板６４ａ，６５ａにより摩擦力を利用して確実に固定することができる。
【００３９】
図１４は、第２実施形態に係る照明装置の使用例を示す図であり、第１実施形態と同様に送風器１と光源部２の相対角度を任意に調整することができる。
【００４０】
＜別実施形態＞
本実施形態では、リング状筐体２０は外周壁部２０ａと内周壁部２０ｂにより構成されているが、さらに別の壁部（例えば、後方壁部）を有していてもよい。図４に示すように、全周の一部に後方壁部２０ｄが形成されているが、全周に後方壁部が形成されていてもよい。
【符号の説明】
【００４１】
１        送風器
１０      送風羽根
１１      駆動モータ
１２      第１筐体部分
１２ａ    外周壁部
１３      第２筐体部分
１４      保護ガード
２        照明部
２０      リング状筐体
２０ａ    外周壁部
２０ｂ    内周壁部
２０ｃ    リンク溝
２０ｄ    後方壁部
２１      光源基板
２２      ＬＥＤ
２３      リング状カバー
３        送風器支持部
４        操作部
５        回転支持部
５０      軸
５１      嵌合孔
５２      貫通孔
６        設置部
６０      支持脚
６１      ベース
６２      支持脚
６３      クリップ機構
６４      第１クリップ板
６５      第２クリップ板
７        連結部
７０      操作ダイヤル
【図１】
0003220981.tif 000003
【図２】
0003220981.tif 000004
【図３】
0003220981.tif 000005
【図４】
0003220981.tif 000006
【図５】
0003220981.tif 000007
【図６】
0003220981.tif 000008
【図７】
0003220981.tif 000009
【図８】
0003220981.tif 000010
【図９】
0003220981.tif 000011
【図１０】
0003220981.tif 000012
【図１１】
0003220981.tif 000013
【図１２】
0003220981.tif 000014
【図１３】
0003220981.tif 000015
【図１４】
0003220981.tif 000016